(57)【要約】【課題】  旧線に沿って所定間隔で反転吊金車を配置する作業によって防護ネットを必要な防護区域に配置できるようにして効率的な張替作業を実現すると共に、地上構造物の直上に十分な空間がない場合であっても防護ネットを設けた状態での作業を可能にする。【解決手段】  旧線(1)を挟んで互いに所定間隔離れた位置で支持される２本の支持ロープ(4,4)の間に複数の横ロープ(6,…,6)を架設し、複数の反転吊金車(20)が２本の支持ロープ(4,4)を保持した状態で張替区間内に展開する。反転吊金車(20)を張替区間内に展開した後、２本の支持ロープ(4,4)に張力を与えて互いに離間させ、複数の横ロープ(6,6)が旧線(1)の下方を横断する状態として防護ネット(50)を構成し、その後、新線(2)の配置と旧線(1)の撤去を行う。【選択図】  図１
2007037314.tif 000002
【特許請求の範囲】
【請求項１】
二つの鉄塔間(10a,10b)に架設された旧線(1)に対し、引きロープ(9)を挿通した反転吊金車(20)を吊り下げて、一方の鉄塔(10b)から他方の鉄塔(10a)に向かって所定間隔毎に送り出していき、複数の反転吊金車(20)を張替区域内に展開した後、引きロープ(9)の一方端に新線(2)を接続した状態で他方端を引くことによって二つの鉄塔間に新線(2)を配置し、反転吊金車(20)を上下反転させてから旧線(1)を引き抜き撤去する電線張替工法において、
旧線(1)を挟んで互いに所定間隔離れた位置で支持される２本の支持ロープ(4,4)の間に複数の横ロープ(6,…,6)を架設すると共に、複数の反転吊金車(20)のそれぞれに対して２本の縦ロープ(5,5)を設け、２本の縦ロープ(5,5)のそれぞれが異なる支持ロープ
(4,4)を保持した状態で各反転吊金車(20)を張替区間内に展開する工程と、
反転吊金車(20)を張替区間内に展開した後、２本の支持ロープ(4,4)に張力を与えて互いに離間させ、複数の横ロープ(6,…,6)が旧線(1)の下方を横断する状態として防護ネット(50)を構成する工程と、
防護ネット(50)を構成した後に新線(2)の配置と旧線(1)の撤去を行う工程を備えることを特徴とする電線張替工法。
【請求項２】
上部フレーム(21)と下部フレーム(23)を有し、上部フレーム(21)と下部フレーム(23)に連結されたガイド部材(26)を備える反転吊金車(20)の前記ガイド部材(26)に対して２本の縦ロープ(5,5)が摺動可能に取り付けられており、
旧線(1)が上部フレーム(21)に挿通されると共に、新線(2)若しくは引きロープ(9)が下部フレーム(23)に挿通され、且つ、旧線(1)を挟んで互いに所定間隔離れた状態に設けられる２本の支持ロープ(4,4)がそれぞれ異なる縦ロープ(5,5)の先端部に保持されており、前記２本の支持ロープ(4,4)の間に複数の横ロープ(6,…,6)が所定間隔毎に架設されて成ることを特徴とする防護ネット。
【請求項３】
二つの鉄塔間(10a,10b)に架設された旧線(1)を挟んで互いに所定間隔離れた位置で支持される２本の支持ロープ(4,4)と、
前記２本の支持ロープ(4,4)の間に架設される複数の横ロープ(6,…,6)と、
前記２本の支持ロープ(4,4)を吊り下げ状態で保持し、旧線に沿って所定間隔毎に配置される複数の反転吊金車(20)を備え、
前記２本の支持ロープ(4,4)のそれぞれに対して張力が付与されることによって、複数の横ロープ(6,…,6)が旧線(1)の下方を横断する状態に張設されてなる防護ネット。
【発明の詳細な説明】
【技術分野】
【０００１】
本発明は、２つの鉄塔間に架設された既設電線を新線に張り替えるための電線張替工法に関し、特に、電線架設区間において地上への電線落下を防止するための技術に関する。
【背景技術】
【０００２】
従来、既設電線（以下、旧線という。）を新たな電線（以下、新線という。）に張り替えるための工法の一つとして反転吊金車工法が知られている。この工法は、公知である反転吊金車を利用するものであり、反転吊金車の下部フレームに引きロープを通すと共に、上部フレームのローラを旧線上に載せた状態とし、所定間隔毎に複数の反転吊金車を連結ロープで連結する。そして旧線上を走行する自走機で連結ロープを引っ張り、二つの鉄塔間に複数の反転吊金車を所定間隔で配置する。その後、引きロープの一端に新線を繋ぎ、他端を引っ張ることにより、新線を旧線に沿って引き出していく。鉄塔間に新線が配設されると、その新線に張力を加えると共に、旧線の張力を緩め、反転吊金車を上下反転させる。そして新線を固定すると共に、旧線を引き抜くことで張替作業が終了する。
【０００３】
このような反転吊金車工法では、作業時に新線若しくは旧線が切断してしまうと、電線が地上に落下してしまう可能性があった。そのため従来は、電線が落下した場合でも地上構造物を破損しないようにするために、張替作業に先立って地上構造物の直上に防護ネットを張る作業が行われていた。
【０００４】
【特許文献１】特開平５−６４３２７号公報
【発明の開示】
【発明が解決しようとする課題】
【０００５】
しかしながら、地上構造物の直上に防護ネットを別途配置する場合には、電線の張替作業とは別に、防護ネットを設置する作業が必要であり、効率的な張替作業ができないという問題がある。
【０００６】
また地上構造物の直上に防護ネットを別途配置する場合には、電線が落下したときのネットの撓み等を考慮して十分な余裕を持たせた状態で防護ネットを配置しておく必要があるが、電線の張替現場によってはそのような余裕を持たせた状態で防護ネットを配置することができないことがある。
【０００７】
本発明は、上記従来の問題点を解決することを目的としてなされたものであり、旧線に沿って所定間隔で反転吊金車を配置する作業によって防護ネットを必要な防護区域に配置できるようにして効率的な電線張替作業を実現すると共に、地上構造物の直上に十分な空間がない場合であっても防護ネットを設けた状態での電線張替作業を可能にする電線張替工法及びその防護ネットを提供するものである。
【課題を解決するための手段】
【０００８】
上記目的を達成するため、本発明に係る電線張替工法が解決手段として採用したところは、二つの鉄塔間(10a,10b)に架設された旧線(1)に対し、引きロープ(9)を挿通した反転吊金車(20)を吊り下げて、一方の鉄塔(10b)から他方の鉄塔(10a)に向かって所定間隔毎に送り出していき、複数の反転吊金車(20)を張替区域内に展開した後、引きロープ(9)の一方端に新線(2)を接続した状態で他方端を引くことによって二つの鉄塔間に新線(2)を配置し、反転吊金車(20)を上下反転させてから旧線(1)を引き抜き撤去する工法において、旧線(1)を挟んで互いに所定間隔離れた位置で支持される２本の支持ロープ(4,4)の間に複数の横ロープ(6,…,6)を架設すると共に、複数の反転吊金車(20)のそれぞれに対して２本の縦ロープ(5,5)を設け、２本の縦ロープ(5,5)のそれぞれが異なる支持ロープ
(4,4)を保持した状態で各反転吊金車(20)を張替区間内に展開する工程と、反転吊金車(20)を張替区間内に展開した後、２本の支持ロープ(4,4)に張力を与えて互いに離間させ、複数の横ロープ(6,…,6)が旧線(1)の下方を横断する状態として防護ネット(50)を構成する工程と、防護ネット(50)を構成した後に新線(2)の配置と旧線(1)の撤去を行う工程を備える点にある。このような工法を採用することにより、複数の反転吊金車を張替区域内に展開する作業に伴って防護ネットを旧線の下方に配置することができ、新線を架設する際、及び旧線を撤去する際のいずれにおいても、新線及び旧線の下方に防護ネットが展開された状態としておくことができる。
【０００９】
また本発明に係る防護ネットが解決手段として採用したところは、上部フレーム(21)と下部フレーム(23)を有し、上部フレーム(21)と下部フレーム(23)に連結されたガイド部材(26)を備える反転吊金車(20)の前記ガイド部材(26)に対して２本の縦ロープ(5,5)が摺動可能に取り付けられており、旧線(1)が上部フレーム(21)に挿通されると共に、新線(2)若しくは引きロープ(9)が下部フレーム(23)に挿通され、且つ、旧線(1)を挟んで互いに所定間隔離れた状態に設けられる２本の支持ロープ(4,4)がそれぞれ異なる縦ロープ(5,5)の先端部に保持されており、前記２本の支持ロープ(4,4)の間に複数の横ロープ(6,…,6)が所定間隔毎に架設された構成とした点にある。かかる構成を採用することにより、複数の反転吊金車を張替区域内に展開する際、反転吊金車が支持ロープを保持した状態で防護ネットを搬送するので、旧線及び新線の直下に防護ネットを設けることができる。
【００１０】
更に本発明に係る防護ネットが解決手段として採用したところは、二つの鉄塔間(10a,10b)に架設された旧線(1)を挟んで互いに所定間隔離れた位置で支持される２本の支持ロープ(4,4)と、前記２本の支持ロープ(4,4)の間に架設される複数の横ロープ(6,…,6)と、前記２本の支持ロープ(4,4)を吊り下げ状態で保持し、旧線に沿って所定間隔毎に配置される複数の反転吊金車(20)を備え、前記２本の支持ロープ(4,4)のそれぞれに対して張力が付与されることによって、複数の横ロープ(6,…,6)が旧線(1)の下方を横断する状態に張設される点にある。かかる構成を採用することにでも、複数の反転吊金車を張替区域内に展開する際、反転吊金車が支持ロープを保持した状態で防護ネットを搬送でき、旧線及び新線の直下に防護ネットを設けることができる。
【発明の効果】
【００１１】
本発明によれば、二つの鉄塔間に複数の反転吊金車を配置する際、反転吊金車が防護ネットを構成する２本の支持ロープを保持した状態で配置できる。そのため、防護ネットの配置は、反転吊金車の展開作業と同時に行うことができ、効率的な作業が可能になる。しかも２本の支持ロープに張力を与えて互いに離間させ、複数の横ロープが旧線の下方を横断する状態として防護ネットを構成するので、地上構造物の直上に防護ネットを設置するだけの十分な空間がない場合であっても旧線の直下に防護ネットを設けた状態で電線張替作業を行うことができる。
【発明を実施するための最良の形態】
【００１２】
以下図面に基づいて本発明の好ましい一実施形態を詳述する。図１は旧線１の下方に本実施形態の防護ネット５０が配置された状態を示す図である。図１では、鉄塔１０の最上段に設けられたアーム１１の先端部に架設された旧線（架空地線）１を新線に張り替える場合を例示している。この場合において、アーム１１には補助アーム１２が仮設される。補助アーム１２は旧線１とほぼ直角な状態で設けられ、旧線１が補助アーム１２のほぼ中心に位置するように配置される。補助アーム１２の両端にはそれぞれ支持ロープ４を支持する支持手段１３が設けられ、これにより２本の支持ロープ４が旧線１を挟んだ状態で所定間隔を隔てて配置される。また補助アーム１２の中央部には連結ロープ３を支持する支持手段１４が設けられる。尚、鉄塔１０に対向する鉄塔においても、同様に補助アームが仮設される。
【００１３】
そして複数の反転吊金車２０が旧線１に支持され、旧線１に沿って所定間隔毎に配置される。各反転吊金車２０は、隣り合う他の反転吊金車と連結ロープ３によって連結されており、反転吊金車２０の配置間隔はこの連結ロープ３によって規定される。また各反転吊金車２０には２本の縦ロープ５が取り付けられており、各縦ロープ５の先端には支持ロープ４を挿通した状態で保持する豆金車３０が取り付けられる。
【００１４】
また各支持ロープ４には所定間隔毎に複数の豆金車３０が設けられており、これら豆金車３０には他方の支持ロープ４に設けられた互いに対向する豆金車との間に横ロープ６が架設される。すなわち、２本の支持ロープ４の間には、旧線１の延設方向に対して直角に架設された複数の横ロープ６が所定間隔毎に設けられた構造である。そして横ロープ６の配置間隔は豆金車３０を連結する連結ロープ７によって規定されており、反転吊金車２０の配置間隔よりも細かい配置間隔となっている。尚、横ロープ６の長さは、補助アーム１２における２本の支持ロープ４の配置間隔よりも長い状態としておくことが好ましい。また反転吊金車２０に取り付けられた縦ロープ先端の２つの豆金車３０の間にも横ロープ６を接続しておくことが好ましい。
【００１５】
そして旧線１とほぼ平行に配置された２本の支持ロープ４を、支持手段１３を介して引っ張ることにより、両支持ロープ４に張力が与えられ、２本の支持ロープ４は互いに離間する。このとき、２本の支持ロープ４の間に架設された複数の横ロープ６は旧線１及び新線２の下方を横断する状態に張設され、これにより旧線１及び新線２の下方に防護ネット５０が構成される。したがって、この状態で、新線２の配設作業及び旧線１の撤去作業を行えば、作業途中で万一、電線が切断したとしてもその電線は横ロープ６に引っ掛かってそれよりも下方に落下することがなくなり、地上構造物を破損することがなくなるのである。
【００１６】
図２は反転吊金車２０及びその付属部材を示す図である。図２に示す如く、反転吊金車２０は、上部ローラ２２を備えた上部フレーム２１と、下部ローラ２４を備えた下部フレーム２３を備え、上部フレーム２１と下部フレーム２３の間に連結ロープ３を固定する固定手段２５が設けられた構造である。この反転吊金車２０は、図２（ｂ）に示す如く、上部フレーム２１の側壁２１ａ及び下部フレーム２３の側壁２３ａがそれぞれ開扉するように構成されており、この開扉した隙間から旧線１及び新線２のそれぞれをフレーム内に収容して側壁２１ａ，２３ａを固定することにより、旧線１及び新線２が各フレーム内に挿通された状態となる。例えば、上部フレーム２１内の上部ローラ２２の下方空間に旧線１が挿通され、下部フレーム２３内の下部ローラ２４の上方空間に新線２（若しくは引きロープ）が挿通される。また図２（ａ）に示す如く、反転吊金車２０は、上部フレーム２１の上端部と下部フレーム２３の下端部に連結されたガイド部材２６を備えており、このガイド部材２６に対して２本の縦ロープ５が摺動可能に取り付けられている。各縦ロープ５の先端部に取り付けられる豆金車３０は、支持ロープ４を挿通する貫通孔３１と、縦ロープ５及び横ロープ６の端部を固定するための第一固定手段３２と、他の豆金車と所定間隔で連結するための連結ロープ７を固定する第二固定手段３３を備えて構成される。支持ロープ４に張力が与えられていないとき、支持ロープ４は所定間隔毎に反転吊金車２０の縦ロープ５及び豆金車３０によって吊り下げられた状態で保持される。そのため、反転吊金車２０、縦ロープ５及び豆金車３０は、防護ネット５０を旧線１に沿って搬送するための防護ネット保持装置５１として機能する。
【００１７】
図３乃至図７は本実施形態における電線張替工法の手順を示す図であり、鉄塔１０ａ，１０ｂ間に架設された旧線１の張替を行う場合を例示しており、その張替区間内の一部に電車等が走行する防護区域１６が定められている。但し、防護区域は張替区間の全域であっても構わない。
【００１８】
本実施形態における電線張替工法では、補助アーム１２（図１参照）を取り付けた鉄塔１０ａ，１０ｂ間に連結ロープ３ａを配置し、一方の鉄塔において連結ロープ３ａの端部に、反転吊金車２０を所定間隔毎に配置した連結ロープ３ｂを接続すると共に、各反転吊金車２０が上述の防護ネット５０を保持した状態とする。そして他方の鉄塔から連結ロープ３ａを引っ張ることにより、鉄塔１０ａ，１０ｂ間に反転吊金車２０と防護ネット５０を同時展開する。その後、２本の支持ロープ４に張力を与えて旧線１の下方に防護ネット５０を拡幅形成し、その状態で従来と同様の反転吊金車工法によって旧線１を新線２に張り替える。そして電線の張り替えが終了すると、鉄塔１０ａ，１０ｂ間から防護ネット５０等を撤去して作業が完了する。以下、このような工法の具体例を図３乃至図７を参照しつつ説明する。
【００１９】
まず図３に示す如く、エンジンを搭載した自走機１５を旧線１に取り付け、この自走機１５に連結ロープ３ａを結びつける。そして自走機１５を第一鉄塔１０ａから第二鉄塔１０ｂに向けて走行させ、連結ロープ３ａを第一鉄塔１０ａから第二鉄塔１０ｂに送り出す。このとき旧線１に吊設され、かつ旧線１に沿って走行可能な吊金車４０を、連結ロープ３ａに対して所定間隔毎に設けていく。そして自走機１５が第二鉄塔１０ｂに到着すると、第二鉄塔１０ｂでは連結ロープ３ａの端部に、第二鉄塔１０ｂから送り出すための連結ロープ３ｂ、２本の支持ロープ４、及び引きロープ９を連結する。
【００２０】
そして図４に示す如く、第一鉄塔１０ａで連結ロープ３ａを引くことにより、吊金車４０を回収していくと共に、連結ロープ３ｂ、支持ロープ４及び引きロープ９を張替区間内に展開する。このとき第二鉄塔１０ｂから送り出される連結ロープ３ｂには所定間隔（例えば１５ｍ）毎に反転吊金車２０が設けられており、各反転吊金車２０は２本の縦ロープ５のそれぞれが支持ロープ４を支持した状態のままで、連結ロープ３ｂの移動に伴って旧線１上を走行する。また２本の支持ロープ４の少なくとも防護区域１６の上方に配置される部分には、複数の横ロープ６が所定間隔（例えば３ｍ）毎に設けられる。そして連結ロープ３ｂの端部が第一鉄塔１０ａに到着すると、複数の反転吊金車２０が張替区間内にほぼ等間隔で配置されると共に、２本の支持ロープ４に架設された複数の横ロープ６が防護区域１６の上方に配置される。またこのとき、２本の支持ロープ４のそれぞれは第一鉄塔１０ａに設けられた補助アーム１２に取り付けられる。
【００２１】
図５に示す如く、複数の反転吊金車２０が張替区間全域に配置され、防護区域１６の上方に複数の横ロープ６の配置が完了すると、一方若しくは双方の鉄塔において２本の支持ロープ４のそれぞれに張力を付与する。これにより、２本の支持ロープ４はそれぞれ鉄塔１０ａ，１０ｂ間で緊張した状態となり、図１に示すように、支持ロープ４は旧線１を挟んで互いに離間し、防護区域１６の上方に配置された複数の横ロープ６が旧線１の下方を横断する状態に張設され、その結果、防護ネット５０が形成される。このとき、各反転吊金車２０に取り付けられた２本の縦ロープ５は、支持ロープ４を支持する機能がなくなり、撓んだ状態となるが、何ら問題は生じない。
【００２２】
そして図１のように防護ネット５０を形成した状態で、例えば第二鉄塔１０ｂで引きロープ９の端部９ａに新線２を接続し、第一鉄塔１０ａからウインチ等の駆動手段を利用して引きロープ９を引っ張ることにより、第二鉄塔１０ｂから第一鉄塔１０ａに向かって新線２を配置していく。尚、電線の張替作業を、第一鉄塔１０ａと第二鉄塔１０ｂの張替区間だけでなく、更に隣接する他の鉄塔を加えた広い区間で同時に行う場合には、各鉄塔間で上記と同様にして配置された引きロープ同士を互いに連結し、全張替区間の一端に位置する鉄塔で引きロープ９の端部９ａに新線２を接続し、他端に位置する鉄塔で引きロープ９を引っ張ることにより、全張替区間に対して新線２を連続的に展開していく。このような作業により、新線２は、引きロープ９が挿通された反転吊金車２０の下部フレーム２３を順次通過していき、最終的に引きロープ９の端部９ａが第一鉄塔１０ａに到着すれば、第一鉄塔１０ａと第二鉄塔１０ｂの張替区間内に新線２を配置できる。このとき、万一、引きロープ９や新線２が切断してしまった場合でも、ケーブルの端部は防護ネット５０を構成する横ロープ６に引っ掛かり、それよりも下方に落下することがない。したがって、防護区域１６に対して何ら影響を与えない。
【００２３】
新線２が張替区間に対して正常に配置された場合には、その新線２を各鉄塔において固定すると共に、新線２に対して張力を与える。また逆に、旧線２の張力は緩める。これにより、新線２と旧線１の高さ位置が逆転し、反転吊金車２０は上下反転する。図８は反転吊金車２０の上下反転動作を示す図であり、（ａ）は反転前の状態を、（ｂ）は反転後の状態を示している。反転前、上部フレーム２１に挿通された旧線１によって反転吊金車２０が支持された状態であるが、新線２に張力を付与し、旧線１の張力を緩めることにより、図８（ｂ）のように、反転吊金車２０が上下反転して新線２によって支持された状態に変化する。このとき、縦ロープ５はガイド部材２６に沿って摺動し、反転前後において反転吊金車２０の下方に位置する状態は変化しない。したがって、新線２に張力を付与し、旧線１の張力を緩めることによって反転吊金車２０を反転させた場合であっても、新線２及び旧線１の下方に複数の横ロープ６が防護ネット５０を形成している状態は変わらない。
【００２４】
このようにして反転吊金車２０を上下反転させた後、第一鉄塔１０ａにおいて、先に新線２に接続していた引きロープ９の端部を旧線１の端部に接続する。そして第二鉄塔１０ｂから旧線１を引き抜くことにより、第一鉄塔１０ａと第二鉄塔１０ｂの張替区間から旧線１を撤去していく。尚、旧線１の撤去作業についても、第一鉄塔１０ａと第二鉄塔１０ｂの張替区間だけでなく、更に隣接する他の鉄塔を加えた広い区間で同時に行う場合には、全張替区間の一端に位置する鉄塔で旧線１の端部に引きロープ９を接続し、他端に位置する鉄塔で旧線１を引き抜くことにより、全張替区間で同時に旧線１を撤去していく。このような撤去作業に伴い、第一鉄塔１０ａと第二鉄塔１０ｂの間に再び引きロープ９が配置される。このとき、万一、引きロープ９や旧線１が切断してしまった場合でも、ケーブルの端部は防護ネット５０を構成する横ロープ６に引っ掛かり、防護区域１６に対して何ら影響を与えない。
【００２５】
そして旧線１の撤去作業が終了すると、鉄塔１０ａ，１０ｂ間に配置された防護ネット５０や反転吊金車等の回収作業に移る。この回収作業では、まず２本の支持ロープ４の張力が緩められる。そして図６に示す如く、第一鉄塔１０ａにおいて、連結ロープ３ｂの端部に、吊金車４０が所定間隔毎に設けられた連結ロープ３ａを連結する。この連結ロープ３ａは図３において使用したものと同じものを使用できる。また連結ロープ３ａには、２本の支持ロープ４及び引きロープ９も接続する。
【００２６】
そして第二鉄塔１０ｂから、連結ロープ３ｂ、引きロープ９及び支持ロープ４を引きながら、反転吊金車２０及び防護ネット５０を回収していく。このとき第一鉄塔１０ａからは、所定間隔毎に吊金車４０が設けられた連結ロープ３ａが順次送り出されていく。そして第二鉄塔１０ｂにおいて全ての反転吊金車２０と防護ネット５０の回収が終了すると、図７に示す如く、第二鉄塔１０ｂにおいて連結ロープ３ａの端部に回収器１８に接続し、その回収器１８を新線２に取り付ける。回収器１８は上下ローラ間に新線２を挟み、新線２上を走行可能であり、走行時の速度を一定に保つための制動器を内蔵したものである。そして第一鉄塔１０ａで連結ロープ３ａを引っ張ることにより、吊金車４０及び回収器１８が新線２に沿って第一鉄塔１０ａ側に移動していき、連結ロープ３ａが第一鉄塔１０ａで回収される。
【００２７】
以上で、鉄塔１０ａ，１０ｂ間に架設された電線の張り替えが完了するが、本実施形態においては、新線２を鉄塔１０ａ，１０ｂ間に架設する際、及び、旧線１を鉄塔１０ａ，１０ｂ間から撤去する際のいずれにおいても、新線２又は旧線１の下方に複数の横ロープ６が所定間隔で架設された状態の防護ネット５０を予め設けているので、作業時に万一、電線が切断した場合であっても、防護ネット５０がそれを受け止めることができ、地上の防護区域を常に安全な状態にしておくことができる。そして本実施形態では、従来の反転吊金車工法と同様にして、旧線に沿って所定間隔で複数の反転吊金車を展開する作業により、これと同時に防護ネット５０を必要な防護区域に配置できるようにしてあるので、効率的に防護ネット５０を配置することができ、電線張替作業全体としてみても作業効率が向上する。更に、地上構造物の直上に防護ネットを設置する必要がなくなるので、地上構造物の直上に十分な空間がない場合であっても防護ネットを設けた状態で電線張替作業を行うことができるという利点がある。
【図面の簡単な説明】
【００２８】
【図１】旧線の下方に本実施形態の防護ネットが配置された状態を示す図である。
【図２】反転吊金車及びその付属部材を示す図であり、（ａ）は反転吊金車及び付属部材によって構成される防護ネット保持装置を示し、（ｂ）は反転吊金車の開扉構造を示している。
【図３】電線張替工法の手順を示す図であり、特にその第一工程（連結ロープの配置工程）を示す図である。
【図４】電線張替工法の手順を示す図であり、特にその第二工程（反転吊金車及び防護ネットの配置工程）を示す図である。
【図５】電線張替工法の手順を示す図であり、特にその第三工程（防護ネットの形成と電線張替工程）を示す図である。
【図６】電線張替工法の手順を示す図であり、特にその第四工程（反転吊金車及び防護ネットの回収工程）を示す図である。
【図７】電線張替工法の手順を示す図であり、特にその第五工程（連結ロープの回収工程）を示す図である。
【図８】反転吊金車の上下反転動作を示す図であり、（ａ）は反転前の状態を、（ｂ）は反転後の状態を示している。
【符号の説明】
【００２９】
１  旧線
２  新線
３，３ａ，３ｂ  連結ロープ
４  支持ロープ
５  縦ロープ
６  横ロープ
９  引きロープ
１０，１０ａ，１０ｂ  鉄塔
２０  反転吊金車
２１  上部フレーム
２３  下部フレーム
２６  ガイド部材
３０  豆金車
５０  防護ネット
５１  防護ネット保持装置
【図１】
2007037314.tif 000003
【図２】
2007037314.tif 000004
【図３】
2007037314.tif 000005
【図４】
2007037314.tif 000006
【図５】
2007037314.tif 000007
【図６】
2007037314.tif 000008
【図７】
2007037314.tif 000009
【図８】
2007037314.tif 000010